【手続補正書】
【提出日】平成22年11月30日(2010.11.30)
【手続補正１】
【補正対象書類名】特許請求の範囲
【補正対象項目名】全文
【補正方法】変更
【補正の内容】
【特許請求の範囲】
【請求項１】
本体と、その本体の前面を開閉する扉体と、遊技の制御に関する演算処理を行う演算手段とを備えた遊技機において、
前記本体に対する前記扉体の開放を検出する扉開放検出手段と、
その扉開放検出手段による前記扉体の開放検出を記憶する記憶手段と、
前記扉開放検出手段により前記扉体の開放が検出された場合に、前記演算手段の演算処理に基づきその開放検出を前記記憶手段に記憶させる記憶実行手段と、
前記扉開放検出手段により前記扉体の開放が前記遊技機の電源オフ中に検出された場合に、前記記憶手段、記憶実行手段および演算手段を所定期間立ち上げて、前記記憶実行手段による開放検出の記憶を実行可能にする立上手段とを備えていることを特徴とする遊技機。
【請求項２】
前記立上手段は、
前記扉開放検出手段により前記扉体の開放が前記遊技機の電源オフ中に検出された場合に、前記記憶手段、記憶実行手段および演算手段の動作期間を第１動作期間に定める動作期間決定手段と、
その動作期間決定手段により定められた第１動作期間が終了した場合に、前記記憶手段、記憶実行手段および演算手段の動作期間を第２動作期間まで延長する延長手段を備え、
その延長手段により延長された第２動作期間と、前記動作期間決定手段により定められた第１動作期間との和を前記所定期間とするものであり、
前記延長手段は、前記動作期間決定手段が消費する電力よりも少ない電力で前記記憶手段、記憶実行手段および演算手段を動作可能に構成されていることを特徴とする請求項１記載の遊技機。
【請求項３】
前記動作期間決定手段は、前記扉開放検出手段により前記扉体の開放が前記第１動作期間より短い期間で検出された場合には、前記記憶手段、記憶実行手段および演算手段の動作期間である前記第１動作期間をその短い動作期間に定め、
前記延長手段は、前記動作期間決定手段により定められた前記短い動作期間の終了後に、前記記憶手段、記憶実行手段および演算手段の動作期間を第２動作期間まで延長するものであり、
前記延長手段により延長される第２動作期間は、前記記憶実行手段による開放検出の記憶が実行可能な期間に設定されていることを特徴とする請求項２記載の遊技機。
【請求項４】
前記遊技機の電源オン中に充電され、前記記憶手段、記憶実行手段、演算手段および立上手段をその充電された電力により動作可能にするオフ中動作手段を備えていることを特徴とする請求項１から３のいずれかに記載の遊技機。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】変更
【補正の内容】
【０００９】
請求項２記載の遊技機は、請求項１記載の遊技機において、前記立上手段は、前記扉開放検出手段により前記扉体の開放が前記遊技機の電源オフ中に検出された場合に、前記記憶手段、記憶実行手段および演算手段の動作期間を第１動作期間に定める動作期間決定手段と、その動作期間決定手段により定められた第１動作期間が終了した場合に、前記記憶手段、記憶実行手段および演算手段の動作期間を第２動作期間まで延長する延長手段を備え、その延長手段により延長された第２動作期間と、前記動作期間決定手段により定められた第１動作期間との和を前記所定期間とするものであり、前記延長手段は、前記動作期間決定手段が消費する電力よりも少ない電力で前記記憶手段、記憶実行手段および演算手段を動作可能に構成されている。
【手続補正４】
【補正対象書類名】明細書
【補正対象項目名】００１０
【補正方法】変更
【補正の内容】
【００１０】
請求項３記載の遊技機は、請求項２記載の遊技機において、前記動作期間決定手段は、前記扉開放検出手段により前記扉体の開放が前記第１動作期間より短い期間で検出された場合には、前記記憶手段、記憶実行手段および演算手段の動作期間である前記第１動作期間をその短い動作期間に定め、前記延長手段は、前記動作期間決定手段により定められた前記短い動作期間の終了後に、前記記憶手段、記憶実行手段および演算手段の動作期間を第２動作期間まで延長するものであり、前記延長手段により延長される第２動作期間は、前記記憶実行手段による開放検出の記憶が実行可能な期間に設定されている。
【手続補正５】
【補正対象書類名】明細書
【補正対象項目名】００１１
【補正方法】変更
【補正の内容】
【００１１】
請求項４記載の遊技機は、請求項１から３のいずれかに記載の遊技機において、前記遊技機の電源オン中に充電され、前記記憶手段、記憶実行手段、演算手段および立上手段をその充電された電力により動作可能にするオフ中動作手段を備えている。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】変更
【補正の内容】
【００１４】
請求項２記載の遊技機によれば、請求項１記載の遊技機の奏する効果に加え、動作期間決定手段により定められた第１動作期間が終了した場合には、即ち、第１動作期間が経過した場合には、延長手段によって記憶手段、記憶実行手段および演算手段の動作期間を第２動作期間まで延長する。ここで、動作期間決定手段により定められた第１動作期間と延長手段により延長された第２動作期間との和を、立上手段が記憶手段、記憶実行手段および演算手段を立ち上げる所定期間としている。よって、所定期間のうち、オフ中動作手段に充電された電力が動作期間決定手段によって消費される期間を第１動作期間に留め、その後は、動作期間決定手段よりも消費電力の少ない延長手段によって、記憶手段、記憶実行手段および演算手段を動作させることができる。従って、オフ中動作手段に充電された電力の消費を抑制し、記憶手段、記憶実行手段、演算手段および立上手段の動作可能回数を多くして、扉体の開放の検出可能回数を多くできるという効果がある。
【手続補正８】
【補正対象書類名】明細書
【補正対象項目名】００１５
【補正方法】変更
【補正の内容】
【００１５】
請求項３記載の遊技機によれば、請求項２記載の遊技機の奏する効果に加え、扉開放検出手段により扉体の開放が第１動作期間よりも短い期間で検出された場合には、動作期間決定手段は、記憶手段、記憶実行手段および演算手段の動作期間をその短い動作期間とする。すると、動作期間決定手段により定められた短い動作期間の終了後に、延長手段は、記憶手段、記憶実行手段および演算手段の動作期間を第２動作期間まで延長する。この第２動作期間は、記憶実行手段による扉体の開放検出の記憶を実行可能な期間に設定されている。よって、扉体の開放が短い期間のうちに行われたとしても、その扉体の開放検出を、記憶実行手段により確実に記憶手段に記憶させることができる。加えて、扉体の開放が短い期間のうちに行われた場合には、オフ中動作手段に充電された電力が動作期間決定手段によって消費される期間を短い期間に留めることができる。よって、オフ中動作手段に充電された電力の消費を抑制し、記憶手段、記憶実行手段、演算手段および立上手段の動作可能回数を多くして、扉体の開放の検出可能回数を多くできるという効果がある。
【手続補正９】
【補正対象書類名】明細書
【補正対象項目名】００１６
【補正方法】変更
【補正の内容】
【００１６】
請求項４記載の遊技機によれば、請求項１から３のいずれかに記載の遊技機の奏する効果に加え、遊技機の電源オン中に充電されるオフ中動作手段を備えており、記憶手段、記憶実行手段、演算手段および立上手段は、そのオフ中動作手段に充電された電力によって動作する。よって、記憶手段、記憶実行手段、演算手段および立上手段を遊技機の電源オフ後であっても動作させることができるという効果がある。
【手続補正１０】
【補正対象書類名】明細書
【補正対象項目名】０４２８
【補正方法】変更
【補正の内容】
【０４２８】
１０        パチンコ機（遊技機）
１１        外枠（本体）
１２        内枠（扉体の一部）
１４        前面枠（扉体の一部）
１１０      主制御装置（演算手段の一部）
２０３      ＲＡＭ（記憶手段の一部）
２０３ａ    オフ中枠開放フラグ（記憶手段の一部）
２６０      枠開放検出回路（立上手段）
ＣＤ１      コンデンサ（オフ中動作手段）
ＣＤ４      コンデンサ（延長手段）
ＩＣ１      タイマ（動作期間決定手段）
Ｓ１１２    立ち上げ処理（記憶実行手段の一部）
Ｓ２２６    メイン処理（記憶実行手段の一部）
ＳＷ１      スイッチ（扉開放検出手段の一部）
ＳＷ２      スイッチ（扉開放検出手段の一部）